(57)【要約】【課題】  送配電線が活線状態でもこれに取り付けて振動させることができ、これによって該送配電線に引っかかった飛来物を除去することができる電線振動装置を提供する。【解決手段】  電線把持部２０を介して電線５０に懸装され、電線に振動を付与する装置であって、電動機１１と、その出力軸に取り付けられて回転するカム１２と、その周面の輪郭に応じて周期的に往復動される振動付与手段１３と、前記電動機駆動用の電源１９とからなることを特徴とする電線振動装置。【選択図】  図１
2007195346.tif 000002
【特許請求の範囲】
【請求項１】
電線把持部を介して電線に懸装され、電線に振動を付与する装置であって、電動機と、その出力軸に取り付けられて回転するカムと、その周面の輪郭に応じて周期的に往復動される振動付与手段と、前記電動機駆動用の電源とからなることを特徴とする電線振動装置。
【請求項２】
前記振動付与手段は、これを前記カム周面に押し付けるように付勢する弾性材を備えてなる請求項１に記載の電線振動装置。
【請求項３】
前記振動付与手段は前記電線の軸方向に対して直角な鉛直方向または水平方向に往復動する請求項１または２に記載の電線振動装置。
【請求項４】
前記振動付与手段は鉛直方向および水平方向に少なくとも各１個設けられており、それぞれが前記各方向に往復動する請求項１〜３のいずれか１項に記載の電線振動装置。
【請求項５】
前記振動付与手段は、前記カム周面への当接端を有する腕を備えたウエイトからなる請求項１〜４のいずれか1項に記載の電線振動装置。
【請求項６】
前記振動付与手段は、一端が前記カム周面への当接端とされ、中間に軸支部を設けた腕を備え、前記電線の軸方向に直角に往復揺動するウエイトからなる請求項１〜４のいずれか1項に記載の電線振動装置。
【請求項７】
前記振動付与手段は、一端に前記カム周面への当接端を有し、中間で軸支部を備え、他端に前記外箱または電線把持部を押圧端を備える揺動桿からなる請求項１〜４のいずれか1項に記載の電線振動装置。
【発明の詳細な説明】
【技術分野】
【０００１】
本発明は、架空送配電線などに飛来物が引っかかった場合に当該飛来物を除去するために送配電線に懸装してこれを振動させる電線振動装置に関する。
【背景技術】
【０００２】
架空送配電線には、ビニルシートなどの飛来物が引っかかることがある。このような飛来物を引っかかったままの状態にしておくと、送電障害などの弊害を生じるおそれがあるため、飛来物を送配電線から除去する必要がある。その場合、当該送配電線を停電させた後に作業者が線乗りをして飛来物を直接除去するか、または送電線の架設高さが低い場合などには、送配電線を停電させずに高所作業車を飛来物の直下に配置し、作業者を乗せたバケットを上昇させ、作業者が絶縁棒や特許文献１記載の活線異物除去具などの工具を用いて除去することが行われる。
【０００３】
しかし、幹線から分岐して直接電力需要地に向けて架設された配電線などでは停電できない場合があり、また山間部など高所作業車が入れないような場所で送配電線に飛来物が引っかかる場合もある。そのため、このような場合でも送配電線に引っかかった飛来物を除去可能な手段や装置が望まれていた。
【特許文献１】特開２０００-８３３０８号公報
【発明の開示】
【発明が解決しようとする課題】
【０００４】
本発明は、上記事情に鑑み、送配電線が活線状態でもこれに取り付けて振動させることができ、これによって該送配電線に引っかかった飛来物を除去することができる電線振動装置を提供することを目的とする。
【課題を解決するための手段】
【０００５】
本発明者は、上記課題を解決すべく鋭意検討を重ねた結果、鉄塔などの支持物寄りにて送配電線（以下、単に「電線」という。）に短時間振動を与えることで、飛来物を効果的に落下させて除去でき、さらに同位置において上記電線の円周方向に直角にねじり振動を与えることでより効果的に飛来物を落下させて除去できることを見出し、本発明を完成するに至った。
【０００６】
上記目的は、本発明によれば、電線把持部を介して電線に懸装され、電線に振動を付与する装置であって、電動機と、その出力軸に取り付けられて回転するカムと、その周面の輪郭に応じて周期的に往復動される振動付与手段と、前記電動機駆動用の電源とからなることを特徴とする電線振動装置によって達成される。
【０００７】
ここで、「カム」とは、電動機の出力軸に装着され、これを回転中心軸とする回転体であって、その周面または端面にカム輪郭が形成された形状を備えたものをいい、例えば平面カムおよび立体カムなどが挙げられる。平面カムとしては、例えば板カム、円板カムなどやこれらの溝付きカムなどが挙げられる。また、立体カムとしては、円筒カム、円錐カムなどやこれらの溝付きカムやリブ付きカムなどが挙げられる。これらは、単独でまたは２種以上を組み合わせて電動機の出力軸に装着することができる。カムの形態や組み合わせの態様については、後述の振動付与手段の個数、位置関係および運動方向などを考慮して適宜決定できる。なお、電動機の出力軸には、歯車などの連結機構を用いて例えば上記出力軸に対して直角に連結され、当該出力軸の回転運動が伝達される連結軸をも含まれるものとする。
【０００８】
なお、本発明においては、カムの電動機側の端面、または当該端面に面密着させて連設した円板の電動機側の面の円周寄りに係合突起を設けておき、上記出力軸の回転に伴い、当該係合突起が周期的に一定の位置を通過することを利用して、当該突起に後述の振動付与手段の一端部を当接させて該振動付与手段を往復揺動させるようにしてもよい。本発明においては、上記の係合突起やこれを備えた円板についても、カムと同様の機能を果たすことから、用語「カム」の概念に含めるものとする。
【０００９】
このカムの周面または端面に、振動付与手段の一端が当接される（以下、この「一端」を当接端という。）。振動付与手段は、カムの回転に伴って往復動することで電線に振動を与えるものであり、例えば、
（１）一端に当接端が形成された腕を有するウエイトであり、回転するカムの周面または端面の輪郭に応じて当該カムの回転中心軸に平行または直角に直線上を往復動するもの、
（２）上記と同様にウエイトとこれから延びる腕からなり、当該腕の一端に当接端が形成されており、その中間部分に軸支部を備え、カムの周面などの輪郭に応じて上記軸支部を支点としてウエイトが電線の軸方向に直角に振り子の如く往復揺動するもの、または
（３）一端に当接端が形成され、他端に軸支部を備える棒状体と、該軸支部を介して該棒状体に所定の角度範囲で回動自在に連結された別個の棒状体とからなる揺動桿からなり、カムの周面などの輪郭に応じて電線の軸方向に直角に振り子の如く往復揺動され、例えば電線把持部を押圧可能としたもの、
などが挙げられる。なお、本明細書では、上記用語「往復揺動」を振り子運動のように所定の軸を支点とした円周上の往復動の意味で用いており、当該用語は用語「往復動」の概念に含まれるものとしている。しかし、「往復動」を「往復揺動」と区別し、これを含まない意味で使用する場合には、特に上記（１）に示すように「直線上を往復動」のように表すこととする。
【００１０】
振動付与手段は、前記振動付与手段は前記電線の軸方向に対して直角な鉛直方向または水平方向に往復動される。振動付与手段は、１個に限られず、複数個であってもよい。後者の具体例として２個の振動付与手段を用いる場合、これら２個の振動付与手段をいずれも同一方向に往復動するように配置するようにしてもよく、また１個の振動付与手段を水平方向に、他方の振動付与手段を鉛直方向に配置してそれぞれの方向に往復動させることができる。なお、複数個の振動付与手段は、1個のカムによってそれぞれ往復動させるようにしてもよく、個々の振動付与手段に対して各１個のカムを電動機の出力軸に固定することもできる。
【００１１】
振動付与手段には、これをカムの周面または端面に当接するように付勢する弾性材を備えることができる。弾性材は、カムが溝付きなどの場合やカムの上方に振動付与手段を配置し、これを鉛直な上下方向に往復動させる場合になどには特に必要とされないが、カムが溝付きなどでない場合やカムに対してその側方または下方に振動付与手段を配置する場合などには必要とされる。このような弾性材としては、カムの回転によってその周面または端面の輪郭に沿って振動付与手段が往復動した場合でも当該ウエイトをカム周面などに押し付け可能なものであればよく、通常、スプリングなどが好適に使用される。
【００１２】
本発明の電線振動装置は、電動機の作動に伴い回転するカムの周面または端面に形成された輪郭に沿って振動付与手段を往復移動させることで電線に対して振動を与えるものであり、電動機出力軸の回転数を制御することで、短い周期で高速に振動を発生させたり、低速で長い周期で振動を発生させることもできる。また、カム周面または端面の形状を変更することで、電動機出力軸1回転当たりの振動付与手段の往復動回数や往復動のタイミングを適宜変更することができる。
【発明の効果】
【００１３】
本発明の電線振動装置は、送配電線が活線状態であっても、作業者が容易に当該送配電線に懸装し、これを作動させることで、送配電線を容易に振動させることができ、その結果、効果的に送配電線に引っかかった飛来物を落下させて除去することができる。
【発明を実施するための最良の形態】
【００１４】
以下、添付図面を参照して本発明の電線振動装置についてより詳細に説明する。なお、以下の各図では、同一または共通する各部については同一の符号を用い、重複した説明は省略する。また、説明の簡便化のために、電動機の固定具など、当業者の間で通常用いられる構成について省略している。
【００１５】
図１は、本発明の電線振動装置の実施形態の一例を示す図である。この図において、（ａ）は、送配電線５０の軸方向から本発明の装置を見た図（以下では、この図を正面図という）であり、（ｂ）は、送配電線５０の軸方向に直角な方向から本発明の装置を見た図（以下では、この図を側面図という。）である。
【００１６】
本発明の電線振動装置１は、１個のウエイト１３を鉛直方向に直線的に往復動させることで、電線を鉛直方句に振動させるものであり、外箱１０と、これから上方に延び、送配電線５０を把持する電線把持部２０と、当該外箱１０の下方で鉛直方向に直線的に往復動するウエイト１３とからなる。外箱１０内には、図１に示すように、電動機１１、その出力軸１１ａに取り付けられて回転するカム１２、上記電動機１１の駆動用電源１７、油圧ユニット７１およびコントロールボックス７２が内蔵されている。
【００１７】
電線把持部２０は、固定把持部材２１と可動把持部材２２とから構成され、これらによって電線が把持される。固定把持部材２１は、外箱１０の上面に鉛直方向に所定の間隔で対向して平行に立設された２本の垂直材がその上端において中間材を介して連結された略コの字型の板状部材からなり、一方の垂直材の中間の高さ位置には電線５０を挿通させるための開口２９が設けられている。中間材の下面中央には、電線を把持しやすいように凹部が設けられ、その上面には、不図示の絶縁チェンなどを係合させるフック２６が設けられている。この絶縁チェンは、その長さを調整して本発明の電線振動装置を電線上の所定の位置に懸装固定し、また飛来物除去後に本発明の装置を撤去するのに使用される。
【００１８】
可動把持部材２２は、シリンダー２４のロッド２３の先端に取り付けられている。このシリンダー２４のロッド２３は、油圧ユニット７１からの油圧によって伸縮自在とされ、これを伸ばすことで可動把持部材２２は下方から電線を挟み込んで把持した状態とされる。反対に、ロッド２３を縮めることで、開口２９を通して電線５０を電線把持部２０に挿通させ本発明の電線振動装置１を懸装し、またはその反対に電線５０から本発明の装置１を外すことが容易となる。なお、図１および以下の図２ないし図３では、可動把持部材２２を動作させるのに油圧シリンダー２４を用いることとしているが、例えば電気的にロッドを伸縮させるアクチュエータなどを使用することもできる。
【００１９】
カム１２は、図１（ｂ）に示すように、楕円形の板状を呈しており、その周面に鉛直方向下方からウエイト１３の腕１３１の当接端が当接されている。この当接端は、コロ１３２および当該コロ１３２を回転可能に支持する支持体１３３とから構成されている。腕１３１には、支持体１３３と外箱１０の内面との間にスプリング（弾性材）１４が緩装されており、該スプリング１４は腕１３１の当接端にあるコロ１３２をカム１２の周面に押し付けている。
【００２０】
電動機１１を作動させ、出力軸１１ａに装着されたカム１２を回転させることで、その周面の輪郭に沿ってウエイト１３が腕１３１を介して鉛直方向に往復動する。その往復動に伴い、スプリング１４は伸縮しながらウエイト１３をカム１２の周面に押し付ける。なお、上記の可動把持部材２２や電動機１１の作動は、コントロールボックス７２を介して例えば遠隔操作することができる。
【００２１】
図２は、本発明の電線振動装置の別の実施形態を例示する図である。図２（ａ）は、その正面図、図２（ｂ）は図２（ａ）中のＢ−Ｂ矢視図である。
【００２２】
図２に示す実施形態では、電動機１１の出力軸１１ａに板カム１２および端面カム１６が連接して装着されている。それぞれのカムには、振動付与手段１３、１７がそれぞれ設けられている。板カム１２は、その平面形状が略三角形状を有することで周面の輪郭が変わっている点以外は、上記実施形態と同様である。
【００２３】
端面カム１６は、図２（ｂ）および（ｃ）に示すように、その端面が円周に沿って波型を呈する円筒体である。この端面カム１６に電動機１１とは反対側からその回転中心軸と平行にウエイト１７の腕１７１が当接されている。腕１７１の端面カム１６側の当接端には、上記実施形態の場合と同様に、コロ１７２および当該コロ１７２を回転可能に支持する支持体１７３とからなる。腕１７１には、支持体１７３と外箱１０の内面との間にスプリング（弾性材）１８が緩装されており、該スプリング１８は腕１７１の当接端を端面カム１６の端面に押し付ける方向に付勢している。
【００２４】
電線把持部２０は、固定把持部材に車輪２７が回転自在に軸支配置され、当該車輪２７の外周に設けられた溝によって電線５０が把持されるようになっており、それ以外は、上記実施形態と本質的に変わるところはない。
【００２５】
外箱１０には、その底面からケーブル７０ａを介して遠隔操作用のスイッチボックス７０が引き出されている。このスイッチボックス７０は、電線把持部２０の可動把持部材２２を電線５０に当接させるシリンダー２４の油圧ユニットおよび電動機１１の作動などを制御するためのスイッチ（不図示）をその前面に配置することができる。
【００２６】
図３は、本発明の電線振動装置のさらに別の実施形態を例示する図であり、同図（ａ）は、正面図を、（ｂ）は側面図を示している。
【００２７】
本実施形態では、電動機１１の出力軸１１ａに２個の板カム１２、１６が連設され、上記出力軸１１ａがこれらのカムの回転中心軸とされている。板カム１６は、図１に示す実施形態と同様に、出力軸１１ａに直角な方向の平面が楕円形状を呈しており、その周面に下方からウエイト１３の腕１３１の当接端が当接されている。この当接端の構造は、図１に示す実施形態の場合と同様である。
【００２８】
板カム１２は、略三角形の平面形状を備え、その周面に側方から揺動桿４０の一端が当接されている。この揺動桿４０は、２本のロッド４１、４６が関節４５を介して連結されたくの字型を呈している。２本のロッドはまた1本のスプリング４７を介して連結され、当該スプリングによってこれらのなす角度が無負荷状態で一定とされ、また上記角度が大きくなると、上記一定の角度に戻すように付勢されている。揺動桿４０の一端は、カム周面に当接され、他端が電線の軸方向に直角な方向において電線把持部２０を周期的に押圧することで、本発明の電線振動装置１を揺動する。このコロ４２は、支持体４３によって回転可能に支持されている。
【００２９】
端面カム１６は、図２（ｂ）および（ｃ）に示すように、その端面が円周に沿って波型を呈する円筒体である。この端面カム１６に電動機１１とは反対側からその回転中心軸と平行にウエイト１７の腕１７１が当接されている。腕１７１の端面カム１６側の当接端には、コロ１７２および当該コロ１７２を回転可能に支持する支持体１７３とが設けられている。腕１７１には、支持体１７３と外箱１０の内面との間にスプリング（弾性材）１８が緩装されており、該スプリング１８は腕１７１の当接端にあるコロ１７２を端面カム１６の端面に押し付けている。
【００３０】
電線把持部２０は、外箱１０上面に固定された２枚の垂直材によって軸支されたロープ車２７からなる固定把持部材が上方から当接されるように配置されている他は、上記実施形態と本質的に変わるところはない。
【００３１】
外箱１０には、その底面に遠隔操作用のスイッチボックス７０がケーブル７０ａを介して垂下されている。このスイッチボックス７０は、電線把持部２０の可動把持部材２２を電線５０に当接させるシリンダー２４の油圧ユニットおよび電動機１１の作動などを制御するためのスイッチ（不図示）がその前面に配置されている。
【００３２】
なお、本発明の電線振動装置は、電線に常設して継続して振動を付与するものではないので、当該装置を構成する材質などは、電線に設置して振動を与える短時間に破損しないもので足りる。
【００３３】
次に、図４を参照しながら、本発明の電線振動装置を用いて電線に引っかかった飛来物を除去する方法について説明する。図４は、本発明の電線振動装置の使用状況を示す図である。この図において、（ａ）は、送電鉄塔の腕金（不図示）に固定された３個の電気絶縁碍子８０によってそれぞれ支持されている３本の電線５０，５０、５０のうちの２本に飛来物６０が引っかかった状態を示している。（ｂ）から（ｄ）は、本発明の電線振動装置１を電線に懸装してから、飛来物が落下するまでを順に示している。
【００３４】
作業者は、送電鉄塔上部に昇り、飛来物が引っかかった電線を支持する碍子８０を固定する腕金（不図示）からユニバーサルポールなどの活線用具を用いて本発明の装置を電線５０ａに取り付けた後に電線把持部のフックに一端が連結された絶縁チェン２６ａが張るまで当該装置１を押し出す。なお、絶縁チェン２６ａの他端は、上記した腕金の構成材などに連結固定されている。次に、作業者は、スイッチボックスなどを遠隔操作して電線把持部の可動把持部材を作動させて当該電線把持部に電線を把持させ、本発明の装置を電線５０ａに懸装する。
【００３５】
同じくスイッチボックスなどから遠隔操作することで、本発明の電線振動装置の電動機を作動させる（図４では、振動する電線を５０ａで示している）。これにより、カムが回転し、その周面または端面に当接された振動付与手段が往復動または往復揺動し、この往復動などによって電線に振動が与えられる。
【００３６】
電線が振動し始めると、これに引っかかっていた飛来物６０は、径間中央の最も電線５０がたるんだ位置に移動するとともに、電線５０の軸方向に直角な方向にずれ始める。特に、電線振動装置１によって電線５０にねじり振動を与えた場合、さらに飛来物６０のずれは顕著となる。さらに振動を与え続けることで、飛来物６０はより低い位置に移動しながらずれていき、最終的に落下する。
【００３７】
このように、本発明の電線振動装置を用いることで、電線に引っかかったビニルシートなどの飛来物を活線状態のままで簡単に落下させ除去することができる。
【００３８】
なお、本発明の電線振動装置は、上記実施形態に限定されるものではなく、本発明の要素を具備し、当業者が適宜設計変更しうる全ての装置は、本発明の範囲に包含される。
【図面の簡単な説明】
【００３９】
【図１】本発明の電線振動装置の実施形態の一例を示す図である。
【図２】本発明の電線振動装置の別の実施形態を例示する図である。
【図３】本発明の電線振動装置のさらに別の実施形態を例示する図である。
【図４】本発明の電線振動装置の使用状態を示す図である。
【符号の説明】
【００４０】
１    電線振動装置
１０    外箱
１１    電動機
１１ａ    出力軸
１２、１６    カム
１３、１７    振動付与手段
１４、１８    スプリング（弾性体）
１９    電源
２０    電線把持部
２３    シリンダーロッド
２４    シリンダー
２６    絶縁チェン連結用フック
２７    ロープ車
２９    電線挿通孔
４０    揺動桿
４４    スプリング
４５    関節
５０    電線
６０    飛来物
７０    リモコンボックス
７１    油圧ユニット
７２    コントロールボックス
【図１】
2007195346.tif 000003
【図２】
2007195346.tif 000004
【図３】
2007195346.tif 000005
【図４】
2007195346.tif 000006